(57)【特許請求の範囲】
【請求項１】
ほぼ中央に貫通するメネジを有しメネジ軸線と直交する方向に長い角柱状であり、メネジを挟んで２つの対向する側面に回転軸を突出させ、部材への挿入時に後部となる一端に傾斜面を有する角柱状のナットと、ネジの挿通穴を有する基部から伸びる２つの腕部分の長手方向にナットの回転軸径よりも幅広で、かつ貫通するガイド溝を設けた枠体とから成り、枠体のガイド溝にナットの回転軸を嵌め合わせ、自在に移動するようにした組み合わせ体において、その組み合わせ前に、ナットの回転軸の先端が枠体の腕から突出する位置でナットの回転軸からナットの長手方向のみにツバ状に突出し、その裏面とナットの側面の間に腕の厚さよりも大きな空間を有するように形成された拡径部を有するナットの回転軸を枠体のガイド溝に嵌め合わせたことを特徴とする組み合わせ体。
【発明の詳細な説明】
【０００１】
【産業上の利用分野】
本発明は内面に手の入らない中空状の部材に穴をあけて外部から挿入して用いるナット体であり、ほぼ中央にネメジを有しメネジ軸線と直交する方向に長い角柱状の回転するナットと、それを回転自在に支持する枠の組み合わせ体に関するものである。
【０００２】
【従来の技術】
２つの対向する側面に回転軸を突出させた角柱状のナットと、２つの腕部分にガイド溝を設けた枠体から成り、枠体のガイド溝にナットの回転軸を嵌め合わせ、回転し自在に移動するようにした組み合わせ体が知られている。このような組み合わせ体は例として実公昭５２年３５５６号、実公平１年２５７７２号などにみることができる。
【０００３】
【発明が解決しようとする課題】
従来のこのような組み合わせ体において、ナットが枠体の腕に支持された状態で回転し、あるいはネジに引き寄せられて移動する時に過大な力が加わるとナットが枠体の腕から脱落するという問題がある。問題の１つはネジを挿入し、その先端でナットの後部を強く押して９０゜回転させようとする時に脱落が生じ、２つはナットが９０°回転した後でネジを回してナットを引き寄せる過程でヒネリ運動が生じて脱落が生じるのである。
【０００４】
このような脱落を防ぐためには、ナットの回転軸を枠体の腕から突出させて、その先端をカシメなどの手段で拡張させる解決手段が一般的であり、本願出願人も実施したものである。しかし、このようなカシメ加工は過大な押圧をすると、拡張した部分が枠体の腕をナットに強く押し付ける場合があり、ナットの回転や移動ができなくなるという問題や、加工工数の増加によるコストアップという課題があった。
【０００５】
また、他の方法として本願出願人は実公平２年２４９６９号公報の第６図に示すように、軸の先端において少なくとも一方向以上が軸の最少径よりも拡径となる頭部を有する構成を提案した。しかし、図に示す構成によると、先に述べた２つ目の課題が解決されない。すなわち、ナットが９０°回転し引き寄せられる過程においては軸の先端のカギ状の拡径部は枠体の腕に引っ掛かり状態が得られなくなり、ヒネリ運動によってナットの脱落が生じるのである。
【０００６】
【課題を解決するための手段】
ほぼ中央に貫通するメネジを有しメネジ軸線と直交する方向に長い角柱状であり、メネジを挟んで２つの対向する側面に回転軸を突出させ、部材への挿入時に後部となる一端に傾斜面を有する角柱状のナットと、ネジの挿通穴を有する基部から伸びる２つの腕部分の長手方向にナットの回転軸径よりも幅広で、かつ貫通するガイド溝を設けた枠体とから成り、枠体のガイド溝にナットの回転軸を嵌め合わせ、自在に移動するようにした組み合わせ体において、その組み合わせ前に、ナットの回転軸の先端が枠体の腕から突出する位置でナットの回転軸からナットの長手方向のみにツバ状に突出し、その裏面とナットの側面の間に腕の厚さよりも大きな空間を有するように形成された拡径部を有するナットの回転軸を枠体のガイド溝に嵌め合わせたことを特徴とする組み合わせ体。
【０００７】
【作用】
本願の角柱状のナットと枠体の組み合わせ体を用いて、中空部材などに器材を固定しようとする時、中空部材に予め設けられた挿入穴に本願組み合わせ体をナットの長手方向と枠体を一致するようにしてナット側から挿入する。器材を当ててからネジを差し込み、その先端をナットの傾斜した後部に強く押し当ててナットを９０°回転させる。この時、枠から突出した回転軸の先端はナットの長手両方向のみに拡径しているため、前方に向いた一方のツバが枠体の腕の溝先端で枠体に引っ掛かり状になり、ナットの脱落を防止する。強く押される程に強く噛み合うため、容易に脱落しない。
【０００８】
ナットがネジに押されて回転し始めるとナットの長手両方向のみに拡径したツバは、いずれも枠体の腕に引っ掛かり状となり、以降のネジ締め過程においてナットの脱落を防止することができる。
【０００９】
【実施例】
図１は本願発明の実施例を示している。ほぼ中央に貫通するメネジ１を有しメネジ軸線と直交する方向に長い角柱状（角部に曲面やテーパ面を有する角柱、台形の角柱を含む）であり、メネジ１を挟んで２つの対向する側面に回転軸２を突出させ、部材への挿入時に後部となる一端に傾斜面３を有する角柱状のナット４と、ネジの挿通穴５を有する基部６から伸びる２つの腕部分７、７′の長手方向に回転軸径よりも幅広で、かつ貫通するガイド溝８を設けた枠体９とから成り、枠体９のガイド溝８にナットの回転軸２を嵌め合わせ、自在に移動するようにした組み合わせ体において、その組み合わせ前に、ナットの回転軸２の先端が枠体の腕７から突出する位置でナットの回転軸２からナットの長手方向のみにツバ状に突出し、その裏面とナットの側面の間に腕７の厚さよりも大きな空間を有するように形成された拡径部１０、１０′を有するナットの回転軸２を枠体のガイド溝８に嵌め合わせたことを特徴とする組み合わせ体である。拡径部１０、１０′は少なくとも角柱状のナット４の長手方向の前方へ向けたものを必要とし、拡径部はナットの２つの側面のいずれか一方の回転軸に設けられていてもよい。
【０００１０】
なお実施例においては、ナット４の側面には組み合わせた時の腕７の先端から前方に拡径部１０の突出長さと同等かやや長い距離をあけた位置にナットの過大な回転を防止する突起１１と、枠体にはこの突起１１に突き当たるように枠体の腕の先端から突出するツメ１２が設けられている。ナット４の側面には腕７の先端から前方に拡径部１０の突出長さＬ１と同等かやや長い距離Ｌ２をあけて突起１１を設けたことによって、突起１０を有するナットの回転軸２を枠体のガイド溝８に嵌め合わせる時に、嵌め合いが可能になる。
【０００１１】
【発明の効果】
本願の角柱状のナットと枠体の組み合わせ体によると、ネジの挿入時とナットの９０°回転過程とナットの引き寄せ時において回転軸の拡径部１０、１０´が枠体の腕７に引っ掛かり状となり、ナットが枠体の腕に支持された状態で移動する時に、ナットが枠体の腕から脱落するという問題、すなわち１つはネジを挿入し、その先端でナットの後部を強く押して９０゜回転させようとする時に脱落が生じ、２つはナットが９０°回転した後でネジを回してナットを引き寄せる過程でヒネリ運動が生じて脱落が生じるという問題を解決することができる。
【０００１２】
ネジを回してナットを引き寄せる過程でナットの脱落が生じた場合、従来の技術によるとナットがネジと「共回り」をしてネジ締めが不能な状態になる場合もあり、またネジ締めが完了した後に、ネジを逆転して抜き去ろうとした時にナットとネジが「共回り」をして抜き取りが不能になるという問題も生じていたが、本願発明の組み合わせ体によると、それらの問題の多くを解決することができる。
【０００１３】
また、組み合わせ時においては、ナットの回転軸の拡径部１０、１０′はナットの回転軸の長手方向のみにツバ状に拡径形成されているため、ナット４を２つの腕７、７′の間に挿入して枠体の腕７、７′とナット４を一致するように方向を合わせることで回転軸の拡径部は腕の溝に挿入することができる。この位置関係においてのみ本願発明の組み合わせ体は組み合わせ、または分離することができ、かつこの位置関係においてはナット４には取り付け作業上の外力が加わらないということに着目すべきである。ナット４に初めて取り付け作業上の外力が加わるのはネジを枠体９の挿通穴５を経由して傾斜面３に押し当てた時であるが、この押し当てる力によってナット４はただちにネジの進行方向の前方に押されて拡径部１０が腕７に引っ掛かり状になり外れなくなる。図１はそのようにしてナット４が前方に押され、拡径部１０が腕７に引っ掛かり状になった状態を示している。
【図面の簡単な説明】
【図１】本発明の実施例を示す斜視図である
【図２】本発明の実施例のナットと腕の関係を示す部分拡大図である
【図３】従来例、実公昭５２年３５５６号に開示された図面である
【図４】従来例、実公平２年２４９６９号に開示された図面である
【符号の説明】
１  メネジ
２  回転軸
３  傾斜面
４  角柱状ナット
５  ネジの挿通穴
６  基部
７、７´  腕
８  ガイド溝
９  枠体
１０、１０´  拡径部
【図１】
0003820487.tif 000002
【図２】
0003820487.tif 000003
【図３】
0003820487.tif 000004
【図４】
0003820487.tif 000005